(57)【特許請求の範囲】
【請求項１】
被検体の体腔内の画像を撮像する撮像手段と、
この撮像手段により撮像された画像を記録する少なくとも第１及び第２の画像記録手段と、
少なくとも第１及び第２の画像記録用の記録指示信号を発生する入力手段と、
前記第１又は第２の記録指示信号に従って、前記第１の画像記録手段に前記画像を記録する第１の記録制御手段と、
前記第２の記録指示信号に従って前記第２の画像記録手段に記録すべき画像の識別情報を登録する登録手段と、
を備えることを特徴とする内視鏡装置。
【請求項２】
前記登録手段に登録された画像の識別情報に対応する画像を前記第１の画像記録手段から読出して前記第２の画像記録手段に記録させる第２の記録制御手段と、
を備えることを特徴とする請求項１に記載の内視鏡装置。
【請求項３】
前記入力手段は、少なくとも２種類の長さの異なるストロークを識別し、この識別結果に応じて少なくとも第１及び第２の記録指示信号を発生させるスイッチであることを特徴とする請求項１又は２に記載の内視鏡装置。
【請求項４】
前記入力手段は、少なくとも２種類の押圧時間を識別し、この識別結果に応じて少なくとも第１及び第２の記録指示信号を発生させるスイッチであることを特徴とする請求項１又は２に記載の内視鏡装置。
【発明の詳細な説明】
【０００１】
【発明の属する技術分野】
本発明は、医用の内視鏡装置に係り、特に、体内に挿入される内視鏡スコープにより得られた画像を記録する際の操作が容易な内視鏡装置に関する。
【０００２】
【従来の技術】
近年、医用の内視鏡装置には記録装置が複数接続され、前記内視鏡装置により得られた画像は、用途に応じて複数の記録装置に記録されるようになってきている。
【０００３】
図８は、従来の内視鏡装置の外観を示す斜視図である。図８に示すように従来の内視鏡装置１００は、体内に挿入される挿入部１０１と挿入部１０１の先端部分の向きを動かす操作部１０３から成る内視鏡スコープ１０５と、内視鏡スコープ１０５により得られた画像を画像処理する内視鏡装置本体１０７と、内視鏡装置本体１０７により画像処理された画像を表示するモニタ１０９と、内視鏡装置本体１０７に接続される図示しない複数の記録装置から成り、内視鏡スコープ１０５により得られた画像は、内視鏡装置本体１０７で画像処理された後、用途に応じて複数の記録装置に記録される。
【０００４】
図９は、内視鏡装置１００の機能及び構成を示すブロック図である。図９に示すように内視鏡装置１００は、内視鏡スコープ１０５に設けられ、画像記録用の記録スイッチ１１１ａ，１１１ｂと画像を静止（フリーズ）させるフリーズ用のフリーズスイッチ１１１ｃと、内視鏡装置本体１０７に設けられ、光源１１３と光源１１３のＯＮ／ＯＦＦの制御及び制御回路１２５からの信号を基に照明の明るさを調整する絞り１４１を制御する光源制御回路１１５と内視鏡スコープ１０５の先端に設けられた固体撮像素子１５３の駆動および画像処理を行うビデオ処理回路１１７と記録スイッチ１１１ａ，１１１ｂ、フリーズスイッチ１１１ｃのＯＮ／ＯＦＦ動作に対応させてスイッチ信号を発生するスイッチ信号発生回路１１９とビデオ処理回路１１７により画像処理された画像を一時保持するメモリ１２１とモニタ１０９等の接続端子であるインターフェース１２３と光源制御回路１１５、ビデオ処理回路１１７、スイッチ信号発生回路１１９、メモリ１２１およびインターフェース１２３を制御する制御回路１２５とオペレータにより入力される情報に応じて制御回路１２５を操作するキーボード１２７と、インターフェース１２３に接続される撮影装置１２９と電子ファイリング装置１３１とビデオプリンタ１３３と、を備えている。
【０００５】
次に、従来の内視鏡装置１００の動作を説明する。まず光源１１３から照射された光は、明るさを調整する絞り１４１、集光レンズ１４３および可視光外の赤外成分を除去する赤外カットフィルタ１４５を通ってライトガイド１４７に導かれ、内視鏡スコープ１０５先端にある照明レンズ１４９により拡散されて体内を照明する。
【０００６】
また画像は、内視鏡スコープ１０５の先端にある対物レンズ１５１により、内視鏡スコープ１０５内に設けられた固体撮像素子１５３の撮像領域に結像され、ビデオ処理回路１１７から出力される駆動信号により読み出される。固体撮像素子１５３から読み出された画像信号は、ビデオ処理回路１１７により画像処理され、メモリ１２１を経てインターフェース１２３に出力される。
【０００７】
ここでフリーズスイッチ１１１ｃがＯＮされると、スイッチ信号発生回路１１９は、スイッチ１１１ｃがＯＮされたことを示す信号を制御回路１２５に出力する。そして制御回路１２５は、メモリ１２１に対し、画像をフリーズさせる信号を出力する。これにより、その時点の画像はメモリ１２１に保持され、その後、モニタ１０９とインターフェース１２３に出力される。
【０００８】
次いで、記録スイッチ１１１ａまたは記録スイッチ１１１ｂがＯＮされると、スイッチ信号発生回路１１９は、その旨を示す信号を制御回路１２５に出力する。そして制御回路１２５は、ＯＮされた記録スイッチ１１１ａまたは記録スイッチ１１１ｂに対応させて撮影装置１２９、電子ファイリング装置１３１またはビデオプリンタ１３３に画像をインターフェース１２３を介して記録させる。
【０００９】
これにより、ＯＮされた記録スイッチ１１１ａまたは記録スイッチ１１１ｂに対応した記録装置（撮影装置１２９、電子ファイリング装置１３１またはビデオプリンタ１３３）に画像が記録される。なお、撮影装置１２９と電子ファイリング装置１３１には同一の画像が記録され、ビデオプリンタ１３３には撮影装置１２９と電子ファイリング装置１３１に記録される画像のうち、特に所見のある画像のみがハードコピー作成のためにプリントアウトされて記録される。
【００１０】
【発明が解決しようとする課題】
従来の内視鏡装置では、同一の静止画像を二つの記録装置に記録する場合、それぞれの記録装置に対応した二つの異なるスイッチ操作が必要であり、記録操作が煩雑であるという問題があった。
【００１１】
本発明は上記事情に鑑みて成されたものであり、その課題は、同一静止画像を複数の記録装置に記録させる場合でもその操作を簡単に行うことが可能な内視鏡装置を提供することにある。
【００１２】
【課題を解決するための手段】
本発明に係る内視鏡装置は、上述した課題を解決するために、請求項１に記載したように、被検体の体腔内の画像を撮像する撮像手段と、この撮像手段により撮像された画像を記録する少なくとも第１及び第２の画像記録手段と、少なくとも第１及び第２の画像記録用の記録指示信号を発生する入力手段と、前記第１又は第２の記録指示信号に従って、前記第１の画像記録手段に前記画像を記録する第１の記録制御手段と、前記第２の記録指示信号に従って前記第２の画像記録手段に記録すべき画像の識別情報を登録する登録手段と、を備えるものである。
【００１３】
また、本願請求項２記載の発明は、上述した課題を解決するために、請求項１に記載の内視鏡装置において、前記登録手段に登録された画像の識別情報に対応する画像を前記第１の画像記録手段から読出して前記第２の画像記録手段に記録させる第２の記録制御手段と、を備えるものである。
【００１４】
さらに、本願請求項３記載の発明は、上述した課題を解決するために、請求項１又は２記載の内視鏡装置において、前記入力手段は、少なくとも２種類の長さの異なるストロークを識別し、この識別結果に応じて少なくとも第１及び第２の記録指示信号を発生させるスイッチであることを特徴とするものである。
【００１５】
また、本願請求項４記載の発明は、上述した課題を解決するために、請求項１又は２に記載の内視鏡装置において、前記入力手段は、少なくとも２種類の押圧時間を識別し、この識別結果に応じて少なくとも第１及び第２の記録指示信号を発生させるスイッチであることを特徴とするものである。
【００１６】
本願の内視鏡装置によれば、入力手段は、例えば、内視鏡スコープ等の撮像手段に設けられた２段押しの押しボタンスイッチとすることができ、１つの押しボタンを操作するストローク（この場合、押し込みの深さ）の長短により、２種類の記録指示信号を発生させることができる。制御手段は、この２種類の記録指示信号に基づいて画像を記録すべき記録装置を選択して画像を記録させる。このため、同一静止画像を複数の記録装置に記録させる場合でもその操作を１つの押しボタンスイッチで簡単に行うことができる。
【００１７】
また、入力手段は、単純な押しボタンスイッチと該スイッチの押された時間を判定するスイッチ信号発生回路との組み合わせとすることも可能であり、スイッチ信号発生回路は、内視鏡スコープに設けられた押しボタンスイッチがＯＮされている時間を判定し、この時間の長短により２種類の記録指示信号を発生させることができる。制御手段は、この２種類の記録指示信号に基づいて画像を記録すべき記録装置を選択して画像を記録させる。このため、同一静止画像を複数の記録装置に記録させる場合でもその操作を１つの押しボタンスイッチで簡単に行うことができる。
【００１８】
また、入力手段により発生された記録指示信号を受信した制御手段は、記録指示信号を受信したことまたは記録指示信号に基づいた動作を開始ないし完了したことを報知手段により術者に音声または表示により報知することができ、術者は容易に入力手段の操作を確認することができる。
【００１９】
さらに、複数の記録装置のうち、第１の記録装置が記録及び読出しが可能な記録装置であり、かつ第２の記録装置に記録される画像は全て第１の記録装置にも記録される場合、第２の記録指示信号に従って第２の画像記録手段に記録すべき画像の識別情報を登録手段に登録しておき、内視鏡スコープによる観察終了後、該登録手段に登録された識別情報に対応する画像を第１の画像記録手段から読出して第２の画像記録手段に記録させることができる。
【００２０】
【発明の実施の形態】
本発明に係る内視鏡装置の実施の形態について添付図面を参照して詳細に説明する。
【００２１】
図１は、内視鏡装置の第１参考例を示すブロック図である。なお、第１参考例の内視鏡装置１０の外観構成は、図８に示す従来の内視鏡装置１００と外観構成は同一であるので、図示および説明は省略する。
【００２２】
図１に示すように第１参考例の内視鏡装置１０は、内視鏡スコープ１０５に設けられ、ストロークの長短により二つの接点１３ａ，１３ｂを制御可能な画像記録用の記録スイッチ１１と画像を静止（フリーズ）させるフリーズ用のフリーズスイッチ１１１ｃと、内視鏡装置本体１０７に設けられ、光源１１３と光源１１３のＯＮ／ＯＦＦを制御する光源制御回路１１５と内視鏡スコープ１０５の先端に設けられた固体撮像素子１５３の駆動および画像処理を行うビデオ処理回路１１７と記録スイッチ１１，フリーズスイッチ１１１ｃのＯＮ／ＯＦＦ動作に対応させてスイッチ信号を発生するスイッチ信号発生回路１１９とビデオ処理回路１１７により画像処理された画像を一時保持するメモリ１２１とモニタ１０９等の接続端子であるインターフェース１２３と光源制御回路１１５、ビデオ処理回路１１７、スイッチ信号発生回路１１９、メモリ１２１およびインターフェース１２３を制御する制御回路１２５と、オペレータにより入力される情報に応じて制御回路１２５を操作するキーボード１２７と、インターフェース１２３に接続される撮影装置１２９と電子ファイリング装置１３１とビデオプリンタ１３３と、を備えている。
【００２３】
図１に示された入力手段は、ストロークの長短により二つの接点１３ａ，１３ｂを制御可能な画像記録用の記録スイッチ１１として実現されている。記録スイッチ１１は、例えば２段押しの押しボタンスイッチであり、記録スイッチ１１が短いストロークで１段押されると接点１３ａがＯＮし、さらに長いストロークまで２段押されると接点１３ａ及び接点１３ｂが共にＯＮするものである。
【００２４】
スイッチ信号発生回路１１９は、例えばローパスフィルタとシュミットトリガ回路を直列接続して構成したチャッタリング除去機能を備え、それぞれ接点１３ａ及び接点１３ｂのＯＮ／ＯＦＦに対応するとともにノイズが除去されたスイッチ信号を制御回路１２５に出力する。
【００２５】
そして制御回路１２５は、接点１３ａのＯＮ状態に対応するスイッチ信号を受けると、撮影装置１２９と電子ファイリング装置１３１に画像をインターフェース１２３を介して記録させる。また、制御回路１２５は、接点１３ｂのＯＮ状態に対応するスイッチ信号を受けると、ビデオプリンタ１３３に画像をインターフェース１２３を介して記録させる。
【００２６】
図２は、記録スイッチ１１を示す断面図である。図２に示すように記録スイッチ１１は、内視鏡スコープ１０５の操作部１０３に設けられた所定の深さの挿入孔２１に配置され、中央部にばね受け２３ａを有し、かつ、中心部に貫通孔２３ｂが設けられたガイド２３と、ガイド２３の貫通孔２３ｂに摺動可能に挿入され、中心部に貫通孔２５ｂが設けられ、一端にストッパー２５ｃ、他端に皿部２５ｄを有し、皿部２５ｄとばね受け２３ａの間に配置されたばね２５ｅにより付勢されたシャフト２５と、シャフト２５の貫通孔２５ｂに摺動可能に挿入され、一端にストッパー２７ｃ、他端に皿部２７ｄを有し、皿部２７ｄと皿部２５ｄの間に配置されたばね２７ｅにより付勢されたシャフト２７とを備える。
【００２７】
また、ストッパー２５ｃの下側には接点２９-1を配置したＬ字形の接点受け２５ｆが設けられている。さらに挿入孔２１の底部には接点２９-2が配置されている。なお、皿部２７ｄの上面側にはシャフト２７を保護するゴムキャップ３１が設けられている。
【００２８】
また、挿入孔２１とガイド２３との境界、ガイド２３とシャフト２５との境界およびシャフト２５とシャフト２７との境界にはＯリング３３が設けられている。
【００２９】
また、ばね２５ｅとばね２７ｅの付勢力の関係は、（ばね２５ｅの付勢力）＞（ばね２７ｅの付勢力）になっている。
【００３０】
このため、ゴムキャップ３１を押し込むとばね２７ｅのみ縮み、シャフト２７が押し下げられ、接点２９-1がＯＮされる。さらにゴムキャップ３１を押し込むと、シャフト２７によりシャフト２７が押し下げられ、接点２９-2がＯＮされる。
【００３１】
なお、記録スイッチ１１としては、図３に示すように挿入孔２１の底部の側面にフォトインタラプタ３５、３７を深さ方向に並べて配置し、さらにシャフト２７のフォトインタラプタ３５，３７側に遮光板３９を設けた機構としても良い。なお、図２に示す記録スイッチ１１と同一部材には同一符号を付して説明は省略する。この場合、フォトインタラプタ３５，３７を遮光したか否かでその出力電圧変化をスイッチ信号発生回路１１９が判定する。
【００３２】
また、記録スイッチ１１は、図２、図３に示すものに限らず、図４（ａ）に示すようにレバー４１を上下に動かす、または、図４（ｂ）に示すようにレバー４３を上下にスライドする形式のものでもよい。いずれの形式でも長さの異なる複数のストロークを識別し、この識別結果に応じて、図示しない複数の接点をそれぞれＯＮ／ＯＦＦさせることができる。また、押圧により電気抵抗が変化する導電ゴムを用いて記録スイッチ１１を構成しても良い。
【００３３】
このように第１参考例に示された内視鏡装置１０は、２種類の長さの異なるストロークを識別し、該識別結果に応じて二つの接点１３ａ，１３ｂをＯＮさせる画像記録用の記録スイッチ１１を内視鏡スコープ１０５に設け、ＯＮされた接点１３に対応した記録装置に画像を記録させるようにしているので、画像を複数の記録装置に記録させる場合でもその操作を簡単に行うことが可能となる。
【００３４】
図５（ａ）は、内視鏡装置の第２参考例を示す要部ブロック図である。なお、第２参考例に示された内視鏡装置５０は、図１に示す第１参考例の内視鏡装置１０と記録スイッチ５１とスイッチ信号発生回路５９以外は同一であるので内視鏡スコープ１０５とスイッチ信号発生回路５９のみ示す。
【００３５】
第２参考例の内視鏡装置５０は、少なくとも２種類の押圧時間を識別し該識別結果に基づいて少なくとも２種類の記録指示信号を発生する入力手段を内視鏡スコープに設けた場合の実施の形態であり、図１に示す内視鏡装置１０の記録スイッチ１１とスイッチ信号発生回路１１９に換えて、記録スイッチ５１とスイッチ信号発生回路５９を設けたことにより実現されている。
【００３６】
記録スイッチ５１は、図５（ａ）に示すように接点５３が一つの通常の押しボタンスイッチである。
【００３７】
また、スイッチ信号発生回路５９は、図５（ｂ）に示すように二つのスイッチ信号発生部５５ａ，５５ｂと、判定部５７とから成る。スイッチ信号発生部５５ａは、記録スイッチ５１が押され、接点５３がＯＮされると、その旨を示す信号を制御回路１２５に出力する。
【００３８】
スイッチ信号発生部５５ｂは、判定部５７により記録スイッチ５１の接点５３が予め設定されている設定時間より長くＯＮされていると判定されたとき、その旨を示す信号を制御回路１２５に出力する。なお、スイッチ信号発生部５５ａ，５５ｂは、第１参考例のスイッチ信号発生回路１１９と同様なチャッタリング除去機能を備えてもよい。
【００３９】
これにより、制御回路１２５は、記録スイッチ５１の接点５３がＯＮされている時間に対応した記録装置に画像を記録させる。
【００４０】
このように、第２参考例の内視鏡装置５０は、記録スイッチ５１の接点５３が予め設定されている設定時間より長くＯＮされているか否かを判定する判定部５７を設け、記録スイッチ５１の接点がＯＮされている時間に応じた記録装置に画像を記録させるようにしているので、画像を複数の記録装置に記録させる場合でもその操作を簡単に行うことが可能となる。
【００４１】
図６は、内視鏡装置の第３参考例を示すブロック図である。第３参考例の内視鏡装置は、報知手段としてスピーカ１３５が追加されている以外は図１の内視鏡装置の構成と同様の構成を有するので、重複する構成要素の説明は省略する。
【００４２】
本参考例においては、入力手段である記録スイッチ１１によりＯＮ／ＯＦＦ制御される接点１３ａ及び１３ｂに対応する信号をスイッチ信号発生回路１１９が発生し、これを制御回路１２５が認識したときに、対応する記録装置に画像を記録させるとともに、応答信号としてスピーカ１３５を鳴動して術者に報知するものである。また、スピーカ１３５を鳴動して術者に報知するタイミングは、スイッチ信号を制御回路１２５が認識したとき以外に、制御回路１２５から、各記録装置１２９、１３１、１３３に対して画像の記録指示を出力したとき、または各記録装置１２９、１３１、１３３からの画像記録動作の完了信号を制御回路１２５が受信したときを選んでも良い。
【００４３】
このスピーカ１３５による報知音は、記録指示信号の種類に応じて変更するのが望ましい。例えば、接点１３ａがＯＮされたときは「ピッ」、接点１３ｂがＯＮされたときは「ピッ、ピッ」というように、音の回数を変えるか、音の高さまたは音の長さを変えてもよい。これにより入力手段からの操作の確認が容易となり、誤操作を防止することができる。
【００４４】
なお、本参考例の変形例として、スピーカ１３５に変えて表示により術者に報知する表示手段を内視鏡本体装置（例えば、キーボード１２７上、モニタ１０９の外枠等）や操作部１０３に設けてもよいし、モニタ１０９の表示画像に重畳して報知のための表示を行ってもよい。モニタ１０９に表示する場合には、それぞれの記録装置に対応する表示マークを制御回路１２５によりメモリ１２１上に発生させることにより、モニタ１０９に表示される。
【００４５】
図７は、本発明に係る内視鏡装置の実施の形態を示すブロック図である。本実施の形態に示された内視鏡装置は、第２の画像記録手段に記録すべき画像の識別情報を登録するための登録手段としてメモリＢ（符号１２２）を図１の構成に追加したものである。なお、従来のメモリ１２１は、メモリＢ１２２と区別するために、本実施例ではメモリＡ１２１と呼ぶがその内容には変化がない。
【００４６】
本実施の形態に示された内視鏡装置は、画像の識別情報を登録するための登録手段としてメモリＢ１２２が追加されていることと、制御回路１２５の動作以外は図１に示された内視鏡装置の構成と同様の構成であるので、重複する構成要素の説明は省略する。
【００４７】
本実施の形態に係る内視鏡装置においては、入力手段は第１参考例に示された内視鏡装置と同様であり、記録スイッチ１１が押されると、そのストロークに応じて接点１３ａが単独で、あるいは接点１３ａと接点１３ｂとが共にＯＮとなる。
【００４８】
記録スイッチ１１が短いストロークで１段押され、接点１３ａが単独でＯＮした場合、接点１３ａに対応したスイッチ信号がスイッチ信号発生回路１１９から出力され、これを受けた制御回路１２５は、メモリＡ１２１に保持された画像をインターフェース１２３を介して撮影装置１２９と電子ファイリング装置１３１に記録させる。
【００４９】
記録スイッチ１１がさらに長いストロークまで２段押されると、接点１３ａのＯＮ状態に加えて接点１３ｂがＯＮの状態となり、接点１３ｂのＯＮ状態に対応するスイッチ信号を制御回路１２５が受けると、このときの画像の識別情報をメモリＢ１２２に記憶させる。この識別情報は、接点１３ａがＯＮしたときに記録された電子ファイリング装置１３１における画像番号であってもよいし、画像の電子ファイリング装置１３１内におけるアドレスであってもよい。
【００５０】
こうして内視鏡スコープ１０５の操作中は、ビデオプリンタ１３３に記録すべき画像の識別情報だけをメモリＢ１２２に登録しておく。そして、内視鏡スコープの操作が終了した後、例えばキーボード１２７からの指示によって、メモリＢ１２２に登録された画像の識別情報を読出し、該当する画像を電子ファイリング装置１３１から読出して、インターフェース１２３を介してビデオプリンタ１３３に記録させる。
【００５１】
これにより、ビデオプリンタに出力すべき画像の指示速度がビデオプリンタの出力速度に限定されることや、ビデオプリンタのエラー等による観察中断が無くなり、内視鏡スコープによる観察及び画像収集を短時間で終了させることができる。
【００５２】
なお、第１参考例及び第２参考例に示された内視鏡装置１０，５０の記録スイッチ１１，５１は、内視鏡スコープ１０５の操作部１０３に設けた場合を示したが、操作部１０３の操作は基本的に左手片手操作であり、中指で送気、送水スイッチ１１１ｄ、人差し指で吸引スイッチ１１１ｅとフリーズスイッチ１１１ｃを操作するため、記録スイッチ１１，５１は親指で操作できる位置にある方が操作性は良くなる。
【００５３】
また、第２参考例の内視鏡装置において説明したように、少なくとも２種類の押圧時間を識別し該識別結果に基づいて少なくとも２種類の記録指示信号を発生する入力手段である記録スイッチ５１とスイッチ信号発生回路５９を第３及び第４の実施の形態に用いることもできる。
【００５４】
また、本発明の実施の形態及び参考例においては、一つのスイッチが異なる長さの２つのストロークにより２種類の記録指示信号を発生させる例を示したが、異なる３つ以上のストロークを識別して３種類以上の記録指示信号を発生し、３以上の画像記録装置を制御するように拡張することもできる。
【００５５】
さらに、固体撮像素子が先端部にある電子内視鏡に限らず、硬性鏡やファイバースコープの接眼部に固体撮像素子を配置してモニタ上に出画するスコープカメラでも本発明は適用することができる。
【００５６】
また、この内視鏡装置においては、入力手段により記録指示信号が発生されたことまたは記録指示信号に従って画像記録手段に画像を記録する動作の開始ないし完了を音声及びまたは表示により術者に報知する報知手段をさらに具備したことにより、操作の確認を行なうことができる。
【００５７】
【発明の効果】
本発明に係る内視鏡装置によれば、例えば、第１の画像記録手段として画像ファイリング装置、第２の画像記録手段としてビデオプリンタを用いる場合、内視鏡スコープを操作して観察を行う時には、ビデオプリンタに出力すべき画像の識別情報を登録手段に登録しておき、観察終了後に画像ファイル装置から登録された画像をビデオプリンタに出力することができる。このため、ビデオプリンタに出力すべき画像の指示速度がビデオプリンタの出力速度に限定されることや、ビデオプリンタのエラー等による観察中断が無くなり、内視鏡スコープによる観察及び画像収集を短時間で終了させることができ、被検者の苦痛を軽減し、検査効率を高めることができるという効果がある。
【００５８】
また、少なくとも２種類の長さの異なるストロークを識別し該識別結果に基づいて少なくとも２種類の記録指示信号を発生する入力手段を内視鏡スコープに設け、記録指示信号の種類に応じて、画像の記録と画像の識別情報の登録をさせるようにしているので、その操作を簡単に行うことができるという効果がある。
【００５９】
さらに、本発明によれば、少なくとも２種類の押圧時間を識別し該識別結果に基づいて少なくとも２種類の記録指示信号を発生する入力手段を内視鏡スコープに設け、記録指示信号の種類に応じて、画像の記録と画像の識別情報の登録をさせるようにしているので、画像を複数の記録装置に記録させる場合でもその操作を簡単に行うことがができるという効果がある。
【図面の簡単な説明】
【図１】  内視鏡装置の第１参考例を示すブロック図である。
【図２】  図１に示す内視鏡装置の記録スイッチを示す断面図である。
【図３】  フォトインタラプタを用いた記録スイッチを示す断面図である。
【図４】  図２と図３に示す記録スイッチ以外の記録スイッチを示す平面図である。
【図５】  内視鏡装置の第２参考例を示す要部ブロック図である。
【図６】  内視鏡装置の第３参考例を示すブロック図である。
【図７】  本発明に係る内視鏡装置の実施の形態を示すブロック図である。
【図８】  従来の内視鏡装置の外観を示す斜視図である。
【図９】  従来の内視鏡装置の構成を示すブロック図である。
【符号の説明】
１０，５０…内視鏡装置、１１，５１…記録スイッチ、１３，５３…接点、２１…挿入孔、２３…ガイド、２３ａ…ばね受け、２３ｂ，２５ｂ…貫通孔、２５，２７…シャフト、２５ｃ，２７ｃ…ストッパー、２５ｄ，２７ｄ…皿部、２５ｅ，２７ｅ…ばね、２５ｆ…接点受け、２９-1，２９-2…接点、３１…ゴムキャップ、３３…Ｏリング、３５，３７…フォトインタラプタ、３９…遮光板、４１…レバー、５５ａ，５５ｂ，５９…スイッチ信号発生回路、５７…判定部、１０１…挿入部、１０３…操作部、１０５…内視鏡スコープ、１０７…内視鏡装置本体、１０９…モニタ、１１１ａ，１１１ｂ…記録スイッチ、１１３…光源、１１５…光源制御回路、１１７…ビデオ処理回路、１１９…スイッチ信号発生回路、１２１，１２２…メモリ、１２３…インターフェース、１２５…制御回路、１２７…キーボード、１２９…撮影装置、１３１…電子ファイリング装置、１３３…ビデオプリンタ、１３５…スピーカ。
【図１】
0003817287.tif 000002
【図２】
0003817287.tif 000003
【図３】
0003817287.tif 000004
【図４】
0003817287.tif 000005
【図５】
0003817287.tif 000006
【図６】
0003817287.tif 000007
【図７】
0003817287.tif 000008
【図８】
0003817287.tif 000009
【図９】
0003817287.tif 000010